(57)【特許請求の範囲】
【請求項１】
第一係合部材と、エレベータのドアに取り付けられ且つ該ドアに沿った方向に引かれることで前記第一係合部材と係合状態となる係合位置から該第一係合部材との係合状態が解除される解除位置に変位する第二係合部材と、を有し、これら第一係合部材と第二係合部材との係合によって前記ドアを施錠する錠装置を解錠可能なエレベータ用のドアの解錠装置であって、
前記ドアの裏面側に配置される線状部材であって、一端が前記第二係合部材に接続されると共に他端が前記ドアの裏面に接続される線状部材と、
前記線状部材の延びる方向を変更する方向変更部と、
前記ドアを貫通する鍵穴と、を備え、
前記方向変更部は、前記ドアの裏面から離れる方向に該裏面と間隔をあけた位置において該ドアに対して位置決めされ、
前記線状部材における前記一端から前記方向変更部までの部位は、前記裏面に沿って延び、且つ、前記線状部材における前記方向変更部から前記他端までの部位は、前記方向変更部から前記ドアの裏面側に延び、
前記鍵穴は、前記ドアにおける前記線状部材の前記他端の接続位置と隣接する領域に配置されている、エレベータ用のドアの解錠装置。
【請求項２】
前記鍵穴は、前記ドアの全高の半分以下の位置に配置されている、請求項１に記載のエレベータ用のドアの解錠装置。
【請求項３】
前記鍵穴は、先端側部位が該鍵穴への挿入方向に対して交差する方向に延びる鍵が挿入方向周りに回転したときに前記先端側部位が前記線状部材における前記方向変更部から前記他端までの部位に当接する位置に配置されている、請求項１又は２に記載のエレベータ用のドアの解錠装置。
【請求項４】
前記ドアは、出入り方向と直交する方向に広がる矩形状のドアパネル本体と、前記ドアパネル本体の戸開側の端縁から延びる折り返し部と、を有し、
前記折り返し部は、前記ドアパネル本体の戸開側の端縁から裏面側に延びる第一部位と、前記第一部位の先端から前記ドアパネル本体に沿って戸閉側に延びる第二部位と、を有し、
前記方向変更部は、前記第二部位に配置されている、請求項１〜３のいずれか１項に記載のエレベータ用のドアの解錠装置。
【請求項５】
前記方向変更部は、前記第二部位を出入り方向に貫通する穴によって構成されている、請求項４に記載のエレベータ用のドアの解錠装置。
【発明の詳細な説明】
【技術分野】
【０００１】
本発明は、エレベータ用のドアを施錠する錠装置を解錠可能なエレベータ用のドアの解錠装置に関する。
【背景技術】
【０００２】
従来から、エレベータ用のドアを施錠する錠装置を解除する解錠装置が知られている（特許文献１参照）。
【０００３】
具体的に、錠装置は、図１３に示すように、乗場のドア９３０の上縁に取付けられたドアハンガー９３１に設けられた掛け金９２１と、この掛け金９２１に係止するラッチ９２２とを有している。
【０００４】
また、解錠装置９００は、解錠体９０１と、この解錠体９０１と錠装置９２０とを引き金９１０を介して連結した連結線であるワイヤー９１１とを備えている。
【０００５】
解錠体９０１は、多数の部材によって構成されている。詳しくは、解錠体９０１は、図１４にも示すように、挿入された鍵を回転することで回転する回転軸９０２を有する鍵穴口金９０３と、この回転軸９０２の先端部にベース９０４、六角リング９０５、ナット９０６及び座金９０７を用いて取付けられた作動片９０８と、この作動片９０８の端部に設けられワイヤー９１１の端部が接続されたワイヤー支持金具９０９とを有している。
【０００６】
この解錠装置９００では、点検時または非常時等にドア９３０を開けようとする場合、乗場側から専用の鍵を鍵穴口金９０３の穴に挿入し、解錠方向に回転させると、鍵穴口金９０３の回転軸９０２が回転し、この回転軸９０２と一体の作動片９０８が時計方向にシーソ回動し、ワイヤー９１１が下方向に引っ張られる。これにより、ラッチ９２２が作動片９０８と同方向（時計方向）に回動して掛け金９２１との係止が解除され、ドア９３０の施錠状態が解除され、ドア９３０を開けることが可能となる。
【先行技術文献】
【特許文献】
【０００７】
【特許文献１】特開２０１２−２１８８３４号公報
【発明の概要】
【発明が解決しようとする課題】
【０００８】
以上の解錠装置９００では、多数の部材９０２〜９０９、９１１によって構成されるため、ドア９３０への取り付けやメンテナンスが煩雑となる。
【０００９】
そこで、本発明は、簡素な構成のエレベータ用のドアの解錠装置を提供することを課題とする。
【課題を解決するための手段】
【００１０】
本発明のエレベータ用のドアの解錠装置は、
第一係合部材と、エレベータのドアに取り付けられ且つ該ドアに沿った方向に引かれることで前記第一係合部材と係合状態となる係合位置から該第一係合部材との係合状態が解除される解除位置に変位する第二係合部材と、を有し、これら第一係合部材と第二係合部材との係合によって前記ドアを施錠する錠装置を解錠可能なエレベータ用のドアの解錠装置であって、
前記ドアの裏面側に配置される線状部材であって、一端が前記第二係合部材に接続されると共に他端が前記ドアの裏面に接続される線状部材と、
前記線状部材の延びる方向を変更する方向変更部と、
前記ドアを貫通する鍵穴と、を備え、
前記方向変更部は、前記ドアの裏面から離れる方向に該裏面と間隔をあけた位置において該ドアに対して位置決めされ、
前記線状部材における前記一端から前記方向変更部までの部位は、前記裏面に沿って延び、且つ、前記線状部材における前記方向変更部から前記他端までの部位は、前記方向変更部から前記ドアの裏面側に延び、
前記鍵穴は、前記ドアにおける前記線状部材の前記他端の接続位置と隣接する領域に配置されている。
【００１１】
かかる構成によれば、鍵穴に挿入した鍵によって線状部材における方向変更部から他端までの部位が該部位の延びる方向と交差する方向に押されることで、線状部材における第二係合部から方向変更部までの部位が方向変更部（他端側）に引き込まれ、これにより、第二係合部材がドアに沿った方向に引かれ、その結果、第一係合部材と第二係合部材との係合状態が解除される（錠装置が解錠される）。しかも、線状部材と方向変更部といった簡素な構成によって錠装置を解錠可能な構成を実現できる。
【００１２】
前記エレベータ用のドアの解錠装置では、
前記鍵穴は、前記ドアの全高の半分以下の位置に配置されてもよい。
【００１３】
かかる構成によれば、ドアの上部に鍵穴が配置される場合に比べ、鍵穴が低い位置に配置されるため、点検等でドアを開ける際に作業員等によるドアの解錠作業が容易になる。即ち、背伸びして鍵穴に鍵を差し込む等の無理な姿勢になることなく、ドアの解錠作業が可能となる。
【００１４】
また、前記エレベータ用のドアの解錠装置において、例えば、前記鍵穴は、先端側部位が該鍵穴への挿入方向に対して交差する方向に延びる鍵が挿入方向周りに回転したときに前記先端側部位が前記線状部材における前記方向変更部から前記他端までの部位に当接する位置に配置されている。このため、鍵を回転させることで、線状部材における方向変更部から他端までの部位が鍵の先端側部位によって押され（詳しくは、線状部材の延びる方向と交差する方向に押され：例えば、図１２参照）、これにより、第二係合部材が線状部材によって引かれて解錠位置に変位し、その結果、錠装置が解錠される。
【００１５】
また、前記エレベータ用のドアの解錠装置では、
前記ドアは、出入り方向と直交する方向に広がる矩形状のドアパネル本体と、前記ドアパネル本体の戸開側の端縁から延びる折り返し部と、を有し、
前記折り返し部は、前記ドアパネル本体の戸開側の端縁から裏面側に延びる第一部位と、前記第一部位の先端から前記ドアパネル本体に沿って戸閉側に延びる第二部位と、を有し、
前記方向変更部は、前記第二部位に配置されてもよい。
【００１６】
このように、ドアの折り返し部を利用して方向変更部の位置決め（ドアの裏面から離れる方向の位置決め）を行うこうとで、ドアに他の部材（専用の部材等）を配置して該部材に方向変更部を取り付ける等しなくてもよいため、構成のさらなる簡素化を図ることができる。
【００１７】
この場合、
前記方向変更部は、前記第二部位を出入り方向に貫通する穴によって構成されてもよい。このように、折り返し部の第二部位に設けた穴を利用して線状部材の方向を変更する構成とすることで、構成をより簡素化することができる。
【発明の効果】
【００１８】
以上より、本発明によれば、簡素な構成のエレベータ用のドアの解錠装置を提供することができる。
【図面の簡単な説明】
【００１９】
【図１】図１は、本実施形態に係るドア装置を昇降路側から見た図である。
【図２】図２は、図１のＩＩ−ＩＩ位置の断面図である。
【図３】図３は、図１に示すドア装置の錠装置及びその周辺の拡大図であって、第二係合部材が係合位置の状態を示す拡大図である。
【図４】図４は、前記錠装置及びその周辺の拡大図であって、第二係合部材が解除位置の状態を示す拡大図である。
【図５】図５は、図１に示すドア装置の鍵穴及びその周辺の拡大図である。
【図６】図６は、図５のＶＩ−ＶＩ位置の断面図である。
【図７】図７は、図５のＶＩＩ−ＶＩＩ位置の断面図である。
【図８】図８は、前記ドア装置が備える解錠装置に使用される鍵の平面図である。
【図９】図９は、前記鍵の正面図である。
【図１０】図１０は、鍵穴に鍵が挿入された状態を説明するための図である。
【図１１】図１１は、鍵が鍵穴に挿入された状態で回転したときの該鍵の先端側部位の動きを示す図である。
【図１２】図１２は、鍵の先端側部位が線状部材を押す状態を示す図である。
【図１３】図１３は、従来の解錠装置を説明するための図である。
【図１４】図１４は、前記解錠装置が備える解錠体の分解斜視図である。
【発明を実施するための形態】
【００２０】
以下、本発明の一実施形態について、図１〜図１２を参照しつつ説明する。
【００２１】
図１及び図２に示すように、エレベータ用のドア装置１は、出入口１１を開閉するドア２と、ドア２を開閉方向に案内するガイドレール３と、ドア２をロック（施錠）する錠装置４と、錠装置４によるロックを解錠可能な解錠装置５と、を備える。本実施形態のドア装置１は、乗場に配置され、二つのドア２を備えた、いわゆるセンターオープン式（両開き式）のドア装置である。
【００２２】
ガイドレール３は、乗場の出入口１１の上方位置において、出入口１１の幅方向（図１における左右方向）に延びている。本実施形態のガイドレール３は、二つのドア２のそれぞれを案内する。
【００２３】
本実施形態の二つのドア２は、連動しており、一方のドア２を開閉するとこの開閉に伴って他方のドア２も開閉する。また、本実施形態のドア装置１では、乗場でかごドアが開閉するときに、このかごドアの開閉方向の駆動力が一方のドア２に伝達される。このため、本実施形態のドア装置１では、かごドアの開閉と同期して乗場の二つのドア２がそれぞれ開閉する。
【００２４】
具体的に、各ドア２は、出入口１１の出入り方向（開口方向）と直交する面方向に広がるドアパネル２１と、ドアパネル２１を吊り下げた状態でガイドレール３に沿って開閉方向に往復動可能なドアハンガー２２と、を有する。また、各ドア２は、出入口１１の下端において幅方向に延びる乗場敷居１２に設けられた溝に嵌まり込むドアシュー２３を有する。
【００２５】
ドアハンガー２２は、出入り方向と直交する面方向に広がるハンガー本体２２１と、ハンガー本体２２１に取り付けられてガイドレール３に案内される被ガイド部２２２と、を有する。
【００２６】
ドアパネル２１は、板状の部材によって構成される。このドアパネル２１は、出入り方向と直交する面方向に広がるドアパネル本体２１０と、ドアパネル本体２１０の戸開側の端縁から延びる第一折り返し部（折り返し部）２１１と、ドアパネル本体２１０の戸閉側の端縁から延びる第二折り返し部２１２と、を有する。
【００２７】
ドアパネル本体２１０は、上下方向に長尺な矩形板状の部位である。
【００２８】
第一折り返し部２１１は、ドアパネル本体２１０の戸開側の端縁からドアパネル本体２１０の裏面側（昇降路側）に延びる第一部位２１１１と、第一部位２１１１の先端からドアパネル本体２１０に沿って戸閉側に延びる第二部位２１１２と、を有する。第一部位２１１１及び第二部位２１１２のそれぞれは、上下方向に長尺な矩形板状（帯板状）の部位である。
【００２９】
第二折り返し部２１２は、ドアパネル本体２１０の戸閉側の端縁からドアパネル本体２１０の裏面側に延びる第三部位２１２１と、第三部位２１２１の先端からドアパネル本体２１０に沿って戸開側に延びる第四部位２１２２と、を有する。第三部位２１２１及び第四部位２１２２のそれぞれは、上下方向に長尺な矩形板状（帯板状）の部位である。
【００３０】
ドアシュー２３は、ドアパネル２１の下端部に配置され、ドア２が開閉するときに乗場敷居１２の溝内を移動することで、ドアパネル２１の下端部を開閉方向に案内する。
【００３１】
錠装置４は、図３にも示すように、ガイドレール３に取り付けられる第一係合部材４１と、一方のドア２に取り付けられる第二係合部材４２と、を有し、第一係合部材４１と第二係合部材４２との係合によって、ドア２を施錠して開かなくする、即ち、二つのドア２を離間方向に移動できなくする。
【００３２】
第一係合部材４１は、ガイドレール３に取り付けられ、上方に延びる係合片４１１を有する（図３参照）。
【００３３】
第二係合部材４２は、ドア２（詳しくは、ドアパネル２１）に沿った方向に引かれる（引っ張られる）ことで第一係合部材４１と係合状態となる係合位置から該第一係合部材４１との係合状態が解除される解除位置に変位する。本実施形態の第二係合部材４２は、回動することによって係合位置（図３参照）と解除位置（図４参照）との間で位置（姿勢）を変更する。
【００３４】
具体的に、第二係合部材４２は、ドアハンガー２２に固定され且つ出入り方向に延びる軸４２０ａを有する基部４２０と、軸４２０ａ周りに回動可能に該軸４２０ａに接続される本体４２１と、本体４２１から延びる延設部４２２と、延設部４２２の先端部に設けられるフック部４２３と、第二係合部材４２が係合位置となるように本体４２１を付勢する付勢部４２４と、を有する。本実施形態の基部４２０は、出入り方向に延びると共に上下方向に延びる板状部４２０１も有する。
【００３５】
付勢部４２４は、本体４２１から延び且つ基部４２０の板状部４２０１を貫通する軸部４２４１と、本体４２１と板状部４２０１との間に配置される付勢部材４２４２と、を有する。
【００３６】
軸部４２４１は、戸開側の端部に拡径部４２４１ａを有し、板状部４２０１に対して貫通方向に相対移動可能である。この拡径部４２４１ａは、第二係合部材４２が係合位置のときに板状部４２０１の戸開方向を向いた面４２０１ａと当接する（図３参照）一方、第二係合部材４２が解除位置のときに板状部４２０１に対して戸開方向側に離間する（図４参照）。
【００３７】
付勢部材４２４２では、第二係合部材４２が係合位置から解除位置に位置を変更するのに伴って板状部４２０１から本体４２１（軸部４２４１の基部が接続されている部位）に向けた付勢力が大きくなる。
【００３８】
解錠装置５は、図５〜図７にも示すように、ドア２の裏面（昇降路側の面：図２における下側の面）側に配置される線状部材５１と、線状部材５１の延びる方向を変更する方向変更部５３と、ドア２を貫通する鍵穴５４と、を備える。また、本実施形態の解錠装置５は、線状部材５１をガイドするガイド部５２も備える。本実施形態の解錠装置５は、一方のドア２に配置されている。
【００３９】
線状部材５１は、可撓性を有する長尺な部材であり、一端が第二係合部材４２、詳しくは、第二係合部材４２の軸部４２４１の先端部に接続される（図３及び図４参照）と共に、他端がドア２、詳しくは、ドアパネル本体２１０の裏面（昇降路側の面）に接続される（図６参照）。この線状部材５１における第二係合部材４２から方向変更部５３までの部位は、ドアパネル本体２１０の裏面に沿って延び（配置され）、且つ、線状部材５１における方向変更部５３から他端までの部位は、方向変更部５３からドアパネル本体２１０の裏面に向けて延びる。本実施形態の線状部材５１は、ワイヤーである。
【００４０】
具体的に、ワイヤー５１の他端は、ドアパネル２１の全高の半分以下の位置（本実施形態の例では、ドアパネル２１の下端から約１００ｃｍ〜約１５０ｃｍの位置）で且つ出入り方向から見て第一折り返し部２１１の第二部位２１１２と重なる位置に接続されている。本実施形態のワイヤー５１の他端は、ブラケットＢを介してドアパネル本体２１０に接続されている。
【００４１】
本実施形態のワイヤー５１は、第二係合部材４２（軸部４２４１）からガイド部５２まで真っ直ぐに延び、ガイド部５２から方向変更部５３まで真っ直ぐに延び、方向変更部５３から他端（ドアパネル２１の裏面）まで真っ直ぐに延びる長さである。即ち、ワイヤー５１は、各区間（第二係合部材４２（軸部４２４１）からガイド部５２までの区間、ガイド部５２から方向変更部５３までの区間、及び、方向変更部５３から他端（ドアパネル２１の裏面）までの区間）においてそれぞれ弛まない長さに調整されている。
【００４２】
ガイド部５２は、ドアパネル本体２１０の裏面に沿った面内でのワイヤー５１の延びる方向を変更する。本実施形態のガイド部５２は、上下方向における第二係合部材４２（軸部４２４１）と方向変更部５３との略中間位置に配置されている。このガイド部５２は、第一折り返し部２１１の第二部位２１１２に取り付けられている。本実施形態のガイド部５２は、第二部位２１１２に固定された環状（無端状の閉じた形状）の部材によって構成されている。
【００４３】
方向変更部５３は、ドア２（詳しくは、ドアパネル本体２１０）の裏面から離れる方向における該裏面と間隔をあけた位置においてドア２に対して位置決めされている。本実施形態の方向変更部５３は、第二部位２１１２に配置されている。詳しくは、方向変更部５３は、第二部位２１１２を出入り方向に貫通する穴によって構成されている。より詳しくは、方向変更部５３は、第二部位２１１２において出入り方向から見てワイヤー５１の他端と重なる位置に設けられた穴によって構成されている。
【００４４】
鍵穴５４は、一方のドア２を貫通し、鍵７（図１０参照）を挿入できる。この鍵穴５４は、ドア２（ドアパネル本体２１０）におけるワイヤー５１の他端の接続位置と隣接する領域に配置されている。詳しくは、鍵穴５４は、上下方向において、ドア２の全高の半分以下の位置に配置されている。本実施形態の鍵穴５４は、上下方向において、ドアパネル本体２１０の全高の半分以下の位置、詳しくは、上下方向において、ワイヤー５１の他端が接続されている位置に配置されている。また、鍵穴５４は、ドア２の開閉方向において、鍵穴５４に挿入された鍵７の先端側部位７１２がワイヤー５１における方向変更部５３から該ワイヤー５１の他端までの部位に当接する位置に配置されている（図１１参照）。また、鍵穴５４は、出入り方向から見て、第一折り返し部２１１の第二部位２１１２と重ならない位置に配置されている。
【００４５】
具体的に、鍵穴５４は、ドアパネル２１、詳しくは、ドアパネル本体２１０を出入り方向に貫通する貫通孔５４１と、中空部５４２ａを有し且つドアパネル本体２１０の裏面における貫通孔５４１から出入り方向に突出する（延びる）ガイド筒５４２と、を有する。
【００４６】
本実施形態の貫通孔５４１は、円形の孔であり、ガイド筒５４２は、円筒形状である。本実施形態の鍵穴５４では、貫通孔５４１にガイド筒５４２が嵌め込まれている。また、ガイド筒５４２は、出入り方向において、ドアパネル本体２１０の位置と第一折り返し部２１１の第二部位２１１２の位置との中間位置又はその近傍まで延びている（図７参照）。
【００４７】
ここで、解錠装置５に用いられる鍵７について説明する。この鍵７は、図８及び図９に示すように、鍵穴５４に挿入される軸部７１と、錠装置４を解錠する際に作業員等が把持する把持部７２と、を有する。
【００４８】
軸部７１は、把持部７２から延びる基部側部位７１１と、基部側部位７１１の先端から延びる先端側部位７１２と、を有する。これら基部側部位７１１と先端側部位７１２との端部同士が、基部側部位７１１の延びる方向と直交する方向に延びる連結ピン７１３によって接続されている。即ち、軸部７１は、連結ピン７１３も有する。
【００４９】
基部側部位７１１は、鍵穴５４に挿入可能な大きさの軸状の部位であり、本実施形態の基部側部位７１１は、円柱状である。この基部側部位７１１は、把持部７２との境界位置まで軸部７１が鍵穴５４に挿入されたときに、ガイド筒５４２から先端部（先端側部位７１２との連結部）が突出する長さ寸法を有する（図１０参照）。
【００５０】
先端側部位７１２は、鍵穴５４に挿入可能な大きさの軸状の部位であり、本実施形態の先端側部位７１２は、基部側部位７１１と同じ径の円柱状である。この先端側部位７１２は、基部側部位７１１に対して回動自在（図９の矢印α参照）に連結ピン７１３によって連結されている。
【００５１】
把持部７２は、基部側部位７１１から同方向に延びる把持部第一部位７２１と、把持部第一部位７２１と交差する方向に延びる把持部第二部位７２２と、を有する。把持部第一部位７２１は、柱状であり、把持部第一部位７２１の径は、基部側部位７１１の径より大きい。このため、把持部７２は、鍵穴５４に挿入できない。
【００５２】
以上のエレベータ用のドア２の解錠装置５では、以下のようにして錠装置４を解錠する。
【００５３】
鍵７の軸部７１が鍵穴５４に挿入される。このとき、連結ピン７１３が略水平方向となるように、軸部７１が挿入される。
【００５４】
軸部７１と把持部７２との境界位置まで軸部７１が鍵穴５４に挿入される、換言すると、把持部７２の先端がドアパネル本体２１０における鍵穴５４の周縁部に当接すると、軸部７１の先端側部位７１２の全体がガイド筒５４２から突出した状態となる。この状態では、先端側部位７１２が基部側部位７１１に対して回動自在であるため、先端側部位７１２の自重によって連結ピン７１３周りに回動して先端を下方に向けた状態（基部側部位７１１に対して交差（直交又は略直交）する方向に延びた状態）となる（図１０における矢印α参照）。
【００５５】
この基部側部位７１１に対して先端側部位７１２が折れ曲がった状態で軸部７１の基部側部位７１１の軸心（鍵穴５４への軸部７１の挿入方向）周りに鍵７が回転することで、先端側部位７１２がワイヤー５１における方向変更部５３から該ワイヤー５１の他端までの部位に当接し（図１１及び図１２参照）、さらに、鍵７が回転すると、ワイヤー５１の前記部位が押され（図１２の矢印β及び二点鎖線で示す構成参照）、方向変更部５３より前記他端側に、ワイヤー５１における第二係合部材４２から方向変更部５３までの部位が引き込まれる（図１２の矢印γ参照）。
【００５６】
これにより、第二係合部材４２の軸部４２４１がワイヤー５１によってドア２（詳しくは、ドアパネル本体２１０）に沿ってガイド部５２に向かう方向に引かれ、第二係合部材４２が軸４２０ａ周りに回動して係合位置（図３参照）から解除位置（図４参照）に変位する。これにより、第一係合部材４１と第二係合部材４２との係合状態が解除される（錠装置４が解錠される）。
【００５７】
以上のエレベータ用のドア２の解錠装置５では、線状部材（本実施形態の例では、ワイヤー）５１と方向変更部（本実施形態の例では、穴）５３といった簡素な構成によって錠装置４を解錠可能な構成が実現されている。
【００５８】
また、本実施形態のエレベータ用のドア２の解錠装置５では、鍵穴５４が、ドア２の全高の半分以下の位置（本実施形態の例では、ドアパネル２１の下端から約１００ｃｍ〜約１５０ｃｍの位置）に配置されている。このように、鍵穴５４が低い位置に配置されることで、ドア２の上部に鍵穴が配置される場合に比べ、点検等でドア２を開ける際に作業員等によるドア２の解錠作業が容易になる。即ち、背伸びして鍵穴５４に鍵７を差し込む等の無理な姿勢になることなく、ドア２の解錠作業が可能となる。尚、本実施形態のドア装置１では、保守等を行う作業者が解錠する際に容易に解錠できる高さとして、成人健常者の人体構造に基づいて、鍵穴５４をドアパネル２１の下端から約１００ｃｍ〜約１５０ｃｍの位置に配置している。
【００５９】
また、本実施形態のエレベータ用のドア２の解錠装置５では、先端側部位７１２が鍵穴５４への挿入方向に対して交差する方向に延びる鍵７が挿入方向（基部側部位７１１の軸心）周りに回転したときに先端側部位７１２がワイヤー５１における方向変更部５３から該ワイヤー５１の他端までの部位に当接する位置に鍵穴５４が配置されている。このため、鍵７を基部側部位７１１の軸心周りに回転させることで、ワイヤー５１における方向変更部５３から該ワイヤー５１の他端までの部位が鍵７の先端側部位７１２によって押される（具体的には、ワイヤー５１の延びる方向と交差する方向に押される：図１２の矢印β参照）。
【００６０】
また、本実施形態のエレベータ用のドア２の解錠装置５では、方向変更部５３が、ドアパネル２１における第一折り返し部２１１の第二部位２１１２に配置されている。このように、ドアパネル２１の第一折り返し部２１１を利用して方向変更部５３の位置決め（ドアパネル本体２１０の裏面から離れる方向の位置決め）を行うこうとで、ドアパネル２１に他の部材（専用の部材等）を配置して該部材に方向変更部５３を取り付ける等しなくてもよいため、構成のさらなる簡素化を図ることができる。
【００６１】
しかも、方向変更部５３が、第二部位２１１２を出入り方向に貫通する穴によって構成されている、即ち、第一折り返し部２１１の第二部位２１１２に設けた穴を利用してワイヤー５１の方向を変更する構成とすることで、構成をより簡素化することができる。
【００６２】
尚、本発明のエレベータ用のドアの解錠装置は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００６３】
上記実施形態のエレベータ用のドア２の解錠装置５（以下、単に「解錠装置５」と称する。）は、乗場のドア２に配置されているが、この構成に限定されない。解錠装置５は、かごドアに配置されていてもよい。この場合、錠装置４もかごドアに配置される。
【００６４】
また、上記実施形態の解錠装置５は、両開き式のドア２に配置されているが、片開き式のドアに配置されてもよい。
【００６５】
また、上記実施形態の解錠装置５は、一つのガイド部５２を有しているが、この構成に限定されない。解錠装置５は、複数のガイド部５２を有する構成でもよく、ガイド部５２の無い構成でもよい。また、上記実施形態のガイド部５２は、第一折り返し部２１１に取り付けられているが、他の部位や部材等に取り付けられてもよい。
【００６６】
また、解錠装置５において、鍵穴５４の位置は限定されない。鍵７が鍵穴５４に挿入された状態で該鍵７を基部側部位７１１の軸心周りに回転させたときに、先端側部位７１２がワイヤー５１における方向変更部５３から該ワイヤー５１の他端までの部位に当接する位置であればよい。
【００６７】
また、上記実施形態の解錠装置５では、方向変更部５３は、第一折り返し部２１１の第二部位２１１２に設けられた穴によって構成されているが、この構成に限定されない。方向変更部５３は、滑車やローラ等、ワイヤー等の可撓性を有する線状部材５１の延びる方向を変更でき且つ線状部材５１が方向変更部５３に対して相対移動可能な構成であればよい。
【００６８】
また、方向変更部５３は、板状の部位（上記実施形態の例では第二部位２１１２）に設けられた穴であるが、線状部材５１が相対移動しやすいように穴周縁部に滑り部材（いわゆるブッシュ）等が配置されてもよい。
【００６９】
また、上記実施形態の解錠装置５では、方向変更部５３は、第一折り返し部２１１に配置されているが、この構成に限定されない。方向変更部は、他の部位や部材に配置又は取り付けられてもよい。
【００７０】
また、上記実施形態の錠装置４において、第一係合部材４１は、ガイドレール３に取り付けられているが、この構成に限定されない。第一係合部材４１は、他方のドア２や乗場の出入口を確定する三方枠等に取り付けられていてもよい。
【符号の説明】
【００７１】
１…ドア装置、２…ドア、２１…ドアパネル、２１０…ドアパネル本体、２１１…第一折り返し部（折り返し部）、２１１１…第一部位、２１１２…第二部位、２１２…第二折り返し部、２１２１…第三部位、２１２２…第四部位、２２…ドアハンガー、２２１…ハンガー本体、２２２…被ガイド部、２３…ドアシュー、３…ガイドレール、４…錠装置、４１…第一係合部材、４１１…係合片、４２…第二係合部材、４２０…基部、４２０ａ…軸、４２０１…板状部、４２０１ａ…戸開方向を向いた面、４２１…本体、４２２…延設部、４２３…フック部、４２４…付勢部、４２４１…軸部、４２４１ａ…拡径部、４２４２…付勢部材、５…解錠装置、５１…ワイヤー（線状部材）、５２…ガイド部、５３…方向変更部、５４…鍵穴、５４１…貫通孔、５４２…ガイド筒、５４２ａ…中空部、７…鍵、７１…軸部、７１１…基部側部位、７１２…先端側部位、７１３…連結ピン、７２…把持部、７２１…把持部第一部位、７２２…把持部第二部位、１１…出入口、１２…乗場敷居、９００…解錠装置、９０１…解錠体、９０２…回転軸、９０３…鍵穴口金、９０４…ベース、９０５…六角リング、９０６…ナット、９０７…座金、９０８…作動片、９０９…ワイヤー支持金具、９１０…引き金、９１１…ワイヤー、９２０…錠装置、９２１…掛け金、９２２…ラッチ、９３０…ドア、９３１…ドアハンガー、Ｂ…ブラケット
【要約】
【課題】簡素な構成のエレベータ用のドアの解錠装置を提供することを課題とする。
【解決手段】本発明は、エレベータ用のドアの錠装置を解錠可能なエレベータ用のドアの解錠装置であって、ドアの裏面側に配置される線状部材であって、一端が錠装置に接続されると共に他端がドアの裏面に接続される線状部材と、線状部材の延びる方向を変更する方向変更部と、ドアを貫通する鍵穴と、を備え、方向変更部は、ドアの裏面から離れる方向に該裏面と間隔をあけた位置において該ドアに対して位置決めされ、線状部材における一端から方向変更部までの部位は、裏面に沿って延び、且つ、線状部材における方向変更部から他端までの部位は、方向変更部からドアの裏面側に延び、鍵穴は、ドアにおける線状部材の他端の接続位置と隣接する領域に配置されている、ことを特徴とする。
【選択図】図１【図１】
0006803013.tif 000002
【図２】
0006803013.tif 000003
【図３】
0006803013.tif 000004
【図４】
0006803013.tif 000005
【図５】
0006803013.tif 000006
【図６】
0006803013.tif 000007
【図７】
0006803013.tif 000008
【図８】
0006803013.tif 000009
【図９】
0006803013.tif 000010
【図１０】
0006803013.tif 000011
【図１１】
0006803013.tif 000012
【図１２】
0006803013.tif 000013
【図１３】
0006803013.tif 000014
【図１４】
0006803013.tif 000015